(57)【要約】【課題】  ベッド床は、その上に仰臥する使用者の頭部を通る揺動中心軸線まわりに、左右に反復揺動するので、使用者の頭部は、ほとんど上下の昇降揺動がなく、その身体に心地よい左右揺動を与えることができ、睡眠を促すことができる。【解決手段】  ベッド基台Ｂと、このベッド基台Ｂに揺動可能に支持される揺動フレームＳと、この揺動フレームＳに支持されるベッド床Ｆと、揺動フレームＳをベッド床Ｆと共に揺動駆動する揺動駆動手段Ｄとを備えた睡眠促進用揺動ベッドであって、揺動フレームＳの揺動中心軸線Ｌ−Ｌは、ベッド床Ｆ上に仰臥する使用者Ｍの身長方向に沿って延びており、使用者Ｍの頭部Ｈを通過する。【選択図】    図１
2006094917.tif 000002
【特許請求の範囲】
【請求項１】
ベッド基台と、このベッド基台に揺動可能に支持される揺動フレームと、この揺動フレームに支持されるベッド床と、揺動フレームをベッド床と共に揺動駆動する揺動駆動手段とを備え、ベッド床を揺動させて、使用者が睡眠に入るのを促進するための睡眠促進動作を行うようにした睡眠促進用揺動ベッドであって、
前記揺動フレームの揺動中心軸線は、前記ベッド床上に仰臥する使用者の身長方向に沿って延びており、使用者の頭部を縦通することを特徴とする、睡眠促進用揺動ベッド。
【請求項２】
前記揺動中心軸線は、前記ベッド床上に仰臥する使用者の両足部の踵を通るロアーレベルと、その爪先を通るアッパーレベルの間の中間を通ることを特徴とする、前記請求項１記載の睡眠促進用揺動ベッド。
【請求項３】
前記揺動中心軸線は、前記ベッド床上に仰臥する使用者の頭部側から足部側に向けて上向き、もしくは下向きに傾斜するように、昇降制御されること特徴とする、前記請求項１，または２記載の睡眠促進用揺動ベッド。
【請求項４】
前記ベッド床の揺動幅を調整する揺動幅調整装置と、該ベッド床の揺動速度、揺動稼働時間を任意に調整コントロールできるようにしたリモコンスイッチとを備えていることを特徴とする、前記請求項１，２または３記載の睡眠促進用揺動ベッド。
【請求項５】
前記ベッド床には、その水平位置検出手段および該水平位置検出手段の検出信号をうけて、前記ベッド床を水平位置に固定する水平位置固定手段とが設けられ、ベッド床の揺動稼働停止後、ベッド床の上面は水平状態に固定されることを特徴とする、前記請求項１，２，３または４記載の睡眠促進用揺動ベッド。
【請求項６】
前記ベッド床上に仰臥する使用者の頭部近くに、芳香発生手段、音楽発生手段および暗示トーク発生手段を備えていることを特徴とする、前記請求項１，２，３，４または５記載の睡眠促進用揺動ベッド。
【請求項７】
目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、
前記目覚まし動作時の前記ベッド床の揺動速度は、前記睡眠促進動作時よりも増速されることを特徴とする、前記請求項１，２，３，４，５または６記載の睡眠促進用揺動ベッド。
【請求項８】
使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴とする、前記請求項７記載の睡眠促進用揺動ベッド。
【発明の詳細な説明】
【技術分野】
【０００１】
本発明は、睡眠促進用揺動ベッドに関するものである。
【背景技術】
【０００２】
近年、政治的には、テロ、地政学的なリスクの高まりなどの政情不安、社会的には、残酷な犯罪の多発などの社会環境の悪化、また経済的には、デフレ、リストラ、不況などの経済不安、さらに、職場や家庭内での人間関係の悪化などの諸原因により、ストレスの高まりから、睡眠不足、不眠症を訴える者、特に中高年齢者が増大しつつある。
【０００３】
このような睡眠不足や不眠症の解消方法として、飲酒をしたり、睡眠薬を使用したりしているものも見受けられるが、これらはいずれも習慣性があり、飲酒量、睡眠薬の使用量が次第に多くなる傾向があって、健康を害する原因となっている。
【０００４】
そこで、従来、睡眠を促進する装置として後記特許文献１〜５に記載されたものが、またストレスを解消する装置として特許文献６に記載されたものが知られている。
【特許文献１】実公平５−６９９９号公報
【特許文献２】特開２００２−１７５１６号公報
【特許文献３】実開昭４９−２７８０４号マイクロフィル
【特許文献４】実開昭５２−１０９９０４号マイクロフィル
【特許文献５】特開２００１−１８７１４７号公報
【特許文献６】特開平８−８９５７９号公報  特許文献１には、人が仰臥するプレート（水平ベッド）を、複数のカムにて、上下或いは左右に揺動し、振動効果を出しつつ、車内騒音や音楽を流して睡眠効果が得られるようにしたものが開示され、  また、特許文献２には、ブランコ式揺動ベッドであって、ベッド床を、吊棒に吊るしたアームによりブランコ状に揺動できるようにしたものが開示され、  さらに、特許文献３には、マット台を前後に揺動させる共に、交互に昇降させるようにした揺動ベッドが開示され、  さらにまた、特許文献４には、モータで偏心カムを回転させてベッドを揺らすようにした揺動機のついた自動車揺すりベッドが開示されている。
【０００５】
また、特許文献５には、音響と芳香の作用を統合した安眠装置が開示され、
特許文献６には、芳香と音楽と足温の相乗効果で、心の緊張を和らげるようにしたリラクセーション装置が開示されている。
【発明の開示】
【発明が解決しようとする課題】
【０００６】
ところで、一般に、人間は左右の揺れや揺動には、割合に鈍感であり、むしろ心地良く感じることがある反面、上下の振動や昇降には敏感に反応して不快感、不安感を感じるものであり、たとえば、人が就寝時にマグニチュード３〜４の地震を経験したときに、左右の揺れには比較的に鈍感であるのに対して上下振動には敏感に反応して起き上がったことは誰もが経験しているところであり、また、就寝時、立起時を問わずに、人は上下の振動、揺動、昇降に対して敏感に反応し、たとえば、エレベータの急速下降、航空機の急降下、航海時の船揺れなどには不快感、不安感を感じることは誰もが経験している。
【０００７】
そこで、上記実情を勘案し、本出願の発明者が研究、研鑽を重ねた結果、揺動ベッド上においても、ベッド上に仰臥する人の頭部の上下振動、上下揺動、昇降は、睡眠の促進には良い結果とはならず、むしろ睡眠の妨げになることをつきとめた。
【０００８】
しかしながら、前記特許文献１，２のものは、いずれもベッドを左右および上下に揺動させて、人の頭部は左右に揺れると共に上下にも昇降を繰り返すようにされており、また、前記特許文献３，４のものはいずれも頭部と足部を交互に昇降揺動する方式であり、したがって、特許文献１〜４のものはいずれも、「人間の大切な頭部の上下揺動を抑える」という睡眠の促進に最も重要な基本的な要件を欠如しており、睡眠促進用揺動ベッドとして満足のいくものではなかった。
【０００９】
本発明はかかる事情に鑑みてなされたものであり、人間の大切な頭部の上下揺動を極力抑えながら、身体には、睡眠に必要な心地よい揺動を与えて睡眠を大いに促進できるようにした、新規な睡眠促進用揺動ベッドを提供することを目的とするものである。
【００１０】
また、本発明は身体に適した前記揺動に、芳香、音楽、暗示トークを組み合わせたことによる「相乗効果」で、睡眠の促進効果をより高めるようにした、新規な睡眠促進用揺動ベッドを提供することを他の目的とするものである。
【課題を解決するための手段】
【００１１】
上記目的を達成するために、請求項１記載の本発明は、ベッド基台と、このベッド基台に揺動可能に支持される揺動フレームと、この揺動フレームに支持されるベッド床と、揺動フレームをベッド床と共に揺動駆動する揺動駆動手段とを備え、ベッド床を揺動させて、使用者が睡眠に入るのを促進するための睡眠促進動作を行うようにした睡眠促進用揺動ベッドであって、
前記揺動フレームの揺動中心軸線は、前記ベッド床上に仰臥する使用者の身長方向に沿って延びており、使用者の頭部を縦通することを特徴としている。
【００１２】
上記目的を達成するために、請求項２記載の本発明は、前記請求項１記載のものにおいて、前記揺動中心軸線は、前記ベッド床上に仰臥する使用者の両足部の踵を通るロアーレベルと、その爪先を通るアッパーレベルの間の中間を通ることを特徴としている。
【００１３】
上記目的を達成するために、請求項３記載の本発明は、前記請求項１、または２記載のものにおいて、前記揺動中心軸線は、前記ベッド床上に仰臥する使用者の頭部側から足部側に向けて上向き、もしくは下向きに傾斜するように、昇降制御されること特徴とする、前記請求項１，または２記載の睡眠促進用揺動ベッド。
【００１４】
上記目的を達成するために、請求項４記載の本発明は、前記請求項１，２または３記載のものにおいて、前記ベッド床の揺動幅を調整する揺動幅調整装置と、該ベッド床の揺動速度、揺動稼働時間を任意に調整コントロールできるようにしたリモコンスイッチとを備えていることを特徴としている。
【００１５】
上記目的を達成するために、請求項５記載の本発明は、前記請求項１，２，３または４記載のものにおいて、前記ベッド床には、その水平位置検出手段および該水平位置検出手段の検出信号をうけて、前記ベッド床を水平位置に固定する水平位置固定手段とが設けられ、ベッド床の揺動稼働停止後、ベッド床の上面は水平状態に固定されることを特徴としている。
【００１６】
上記目的を達成するために、請求項６記載の本発明は、前記請求項１，２，３，４または５記載のものにおいて、前記ベッド床上に仰臥する使用者の頭部近くに、芳香発生手段、音楽発生手段および暗示トーク発生手段を備えていることを特徴としている。
【００１７】
上記目的を達成するために、請求項７記載の本発明は、前記請求項１，２，３，４，５または６記載のものにおいて、目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、
前記目覚まし動作時の前記ベッド床の揺動速度は、前記睡眠促進動作時よりも増速されることを特徴としている。
【００１８】
上記目的を達成するために、請求項８記載の本発明は、前記請求項７記載のものにおいて、使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴としている。
【発明の効果】
【００１９】
請求項記載の発明によれば、ベッド床は、ベッド床に仰臥する使用者の頭部を通る揺動中心軸線まわりに、左右に反復揺動するので、使用者の頭部は、ほとんど上下の昇降揺動がなく、その身体に心地よい左右揺動を与えることができ、睡眠を促すことができる。
【００２０】
また、請求項２記載の発明によれば、前記揺動中心軸線は、使用者の頭部と、ベッド床上に仰臥する使用者の両足部の踵を通るロアーレベルと、その爪先を通るアッパーレベルの間の中間を通るようにしているので、使用者は、その頭部から足部に至る全身にわたりほとんど上下の昇降揺動がないようにして、その全身に心地よい左右揺動を与えることができ、睡眠を一層促進することができる。
【００２１】
さらに、請求項３記載の発明によれば、使用者の頭部と足部の相対的な高さを変更できるように、揺動中心軸線の上下方向の傾きを調整できるので、ベッド床の揺動態様を使用者の体調、体力などに合わせて調整することができる。
【００２２】
さらに、請求項４記載の発明によれば、使用者は、揺動幅、揺動速度、揺動稼働時間をを自分に合ったものに調整することができる。
【００２３】
さらに、請求項５記載の発明によれば、ベッド床の上面は水平状態で揺動稼働を停止して水平状態に固定されるので、安心して就寝するこができる。
【００２４】
さらにまた、請求項６記載の発明によれば、使用者は、ベッド床からの心地よい前記左右揺動をうけながら、安らぎ用芳香を嗅ぎ、心身を安静化させる音楽を聞き、さらにストレス解消用の暗示トークを聞いて、短時間のうちに深い眠りにつくことができる。
【００２５】
さらに、請求項７，８記載の発明によれば、ベット床を揺動させることで目覚ましを行うを行うので、使用者を刺激せずに睡眠から確実に目覚めさせることができる。特に、目覚まし動作時のベッド床の揺動速度を睡眠促進時よりも増速することにより、目覚ましとするので、ベッド床の揺動を睡眠促進のほか、目覚ましにも利用することができ、目覚ましのために他の動作をしないで済む。
【００２６】
さらに、請求項８記載の発明によれば、ベッド床の揺動と目覚まし音とで目覚ましを行うので、使用者を睡眠から、より一層確実に目覚めさせることができる。
【発明を実施するための最良の形態】
【００２７】
以下、本発明の実施の形態を、添付図面に示した本発明の実施例に基づいて具体的に説明する。
【００２８】
図１は、睡眠促進用揺動ベッドの全体側面図、図２は、図２−２線に沿う拡大断面図、図３は、図２の３矢視仮想線囲い部分の拡大図、図４は、図３の４−４線に沿う断面図、図５は、ベッド基台、揺動フレームおよび揺動駆動手段の斜視図、図６は、揺動フレームおよびベッド床の揺動作用図、図７は、図１の７−７線に沿う拡大断面図、図８は、揺動ベッドの傾斜リフト説明図、図９は、図１の９矢視図、図１０は、図９の１０−１０線に沿う断面図、図１１は、図１０の１１矢視図、図１２は、図１の１２矢視図、図１３は、図１２の１３−１３線に沿う断面図、図１４は、リモコンスイッチの正面図、図１５は、睡眠促進用揺動ベッドの駆動制御の結線説明図である。
【００２９】
図１，２および５において、睡眠促進用揺動ベッドのベッド基台Ｂは、鉛直方向に起立される板状の前、後部サイドフレーム１，２と、これら前、後部サイドフレーム１，２を一体に連結する略水平な底部フレーム３とより側面視Ｈ状に構成される。ベッド基台Ｂ上には、揺動フレームＳが左右に揺動自在に両持ち軸支され、この揺動フレームＳにベッド床Ｆが一体的に支持されている。
【００３０】
前、後部サイドフレーム１，２の上部の左右中央部分には、対をなす略水平な、ボルトよりなる前、後部支持軸５，５が同一軸線上において固定されており、これらの前、後部支持軸５，５に、前記揺動フレームＳが左右に揺動自在に両持ち軸支される。揺動フレームＳは、前記前、後部支持軸５，５にそれぞれ軸受６，６を介して左右に揺動自在に支持される三角形状の懸吊アーム８，８と、これらの懸吊アーム８，８の下部を一体に連結する横フレーム９とより構成される。前記懸吊アーム８，８は、前、後部サイドフレーム１，２の内面にそれぞれ固定される懸吊アームカバー７，７により覆われる。
【００３１】
前記ベッド床Ｆは、前記横フレーム９上に支持される四角な皿状のベッド枠１１と、このベッド枠１１上に収容されるウレタンフォームなどの弾褥体よりなるクッション体１２と、このクッション体１２上に敷設される敷布マット１３とより構成される。
【００３２】
前記ベッド床Ｆには、使用者Ｍが、頭部Ｈを前部サイドフレーム１側に向けて臥することができ、このベッド床Ｆは、揺動フレームＳと共に前記前、後部支持軸５，５を通る揺動中心軸線Ｌ−Ｌまわりに左右方向に揺動自在であり、この揺動中心軸線Ｌ−Ｌは、図１に示すように、ベッド床Ｆ上に仰臥する使用者Ｍの身長方向に延びており、その頭部Ｈを縦通するようにされる。また、この揺動中心軸線Ｌ−Ｌは、ベッド床Ｆ上に仰臥する使用者Ｍの両足部Ｌｅ，Ｌｅのロアーレベルｌ−ｌと、その爪先を通るアッパ−レベルｕ−ｕの間の中間を通る。
【００３３】
図１，５に示すように、ベッド基台Ｂの底部フレーム３の後部には、電源に接続される元スイッチ８１、足温コタツＨＥ用コンセント８０が設けられる外、睡眠促進用揺動ベッドを揺動制御する制御装置Ｅ、タイマーＴ１〜Ｔ１２、揺動回数記憶手段Ｋ１〜Ｋ３、目覚まし時刻記憶手段Ｋ４、現在の時刻を出力する時計手段ＣＬ、ブレーキモータ１５の回転数を可変制御するインバータなどを備えた制御盤１０、音楽、すなわちＢＧＭプレーヤー３０、ささやきプレーヤー３１が設けられる。
【００３４】
前記ベッド床Ｆは、揺動フレームＳと共に、前記揺動中心軸線Ｌ−Ｌまわりに左右方向に、揺動駆動手段Ｄにより強制揺動駆動される。
【００３５】
つぎに、この揺動駆動手段Ｄの構成について、図１〜５を参照して詳細に説明するに、ベッド基台Ｂの底部フレーム３の中間部には、ブラケット１４を介してブレーキモータ１５が固定支持されている。このブレーキモータ１５は従来公知のものであり、インバータが接続されていて回転数を可変に制御でき、また、その停止時にはブレーキがかかるようになっている。ブレーキモータ１５の減速出力軸１６には偏心板１７が固定されている。この偏心板１７には、偏心軸１８が、偏心量を無段に調整できるように連結されている。すなわち、図３，４に示すように、偏心板１７の外面にはガイドブロック１９が固定され、このガイドブロック１９に形成した径方向のアリ溝２０に、偏心軸１８と一体のアリ凸部２１が摺動自在に嵌合されており、このアリ凸部２１に、ガイドブロック１９に回転自在に設けた調節ボルト２２が螺挿されている。したがって、この調節ボルト２２の回転制御で偏心軸１８の偏心量を調節することができる。偏心軸１８の一端には、連結棒２３の一端が回転自在に連結され、この連結棒２３の他端に、揺動フレームＳの底部フレーム３の中央部より一体に垂下した揺動アーム２５の下端が回転自在にピン連結２４されている。ブレーキモータ１５の駆動によれば、偏心板１７、偏心軸１８、連結棒２３および揺動アーム２５を介して揺動フレームＳを所定の振幅をもって左右に揺動駆動することができ、その振幅量は、調節ボルト２２の回転制御により無段に調節可能である。また、ブレーキモータ１５の停止時には、これにブレーキがかかるため、揺動フレームＳに外力が作用しても、これが無為に揺動するのを抑止することができる。
【００３６】
図２，５に示すように、前記揺動アーム２５の直下において、水平位置検出用近接スイッ２６が配設されており、この近接スイッチ２６により、ベッド床Ｆの水平位置が検出される。後述するタイマーＴ１，Ｔ５，Ｔ６による経過時間がくれば、または、揺動停止キーＳ５が押されれば、揺動スピードを減速して、この近接スイッチ２６によりベッド床Ｆの水平位置を検出して揺動駆動用ブレーキモータ１５を停止させ、該ブレーキモータ１５にブレーキがかかり、ベッド床Ｆは水平位置を保って停止するようにされる。
【００３７】
しかして、前記水平位置検出用近接スイッチ２６により水平位置検出手段が構成され、また、この近接スイッチ２６と、近接スイッチ２６の検出信号で揺動駆動用ブレーキモータ１５を停止制御する制御装置Ｅとにより水平維持検知停止機構が構成され、さらに、前記ブレーキモータ１５のブレーキにより、水平位置固定装置が構成され、さらにまた、前記偏心板１７、偏心軸１８、調節ボルト２２により揺動幅調整装置Ａが構成される。
【００３８】
睡眠促進用揺動ベッドは、その前部と後部が個別に昇降制御されるものであり、ベッド基台Ｂの前、後部サイドフレーム１，２の下部には、それぞれ傾斜リフトＬが設けられる。それらの傾斜リフトＬは同一の構造であるので、以下に、前部サイドフレーム１に設けた傾斜リフトＬの構造について説明すると、この傾斜リフトＬは前部サイドフレーム１の左右端部に、対をなして設けられる。図７に示すように、各傾斜リフトＬは、据付面上に接地され台座３４と、この台座３４に一体に立設されるリフトネジ３３と、リフトネジ３３に螺挿された昇降ハンドル３５と、前部サイドフレーム１の下面と昇降ハンドル３５との間に挟まれるスペーサ３６とで構成されている。
【００３９】
前記リフトネジ３３の上部は、前部サイドフレーム１の下面に穿設した通穴ｈを通して前部サイドフレーム１の下部内に挿入されている。昇降ハンドル３５の一方回転によれば、前部サイドフレーム１が上昇され、また、その他方回転によれば、前部サイドフレーム１は、その自重により下降される。
【００４０】
しかして、前部（頭部側）サイドフレーム１下部の傾斜リフトＬを高位置、すなわち昇降ハンドル３５を図７実線位置に、また後部（足部側）サイドフレーム２下部の傾斜リフトＬを低位置、すなわち昇降ハンドル３５を図７鎖線位置とすれば、揺動中心線Ｌ−Ｌは水平線に対して頭部Ｈ上がりの傾斜となり、また、前部（頭部側）サイドフレーム１下部の傾斜リフトＬを低高位置、すなわち昇降ハンドル３５を図７鎖線位置に、また後部（足部側）サイドフレーム２下部の傾斜リフトＬを高位置、すなわち昇降ハンドル３５を図７実線位置とすれば、揺動中心線Ｌ−Ｌは水平線に対して足部Ｌｅ上がりの傾斜となる。
図８に示すように、前部サイドフレーム１を高い位置に、後部サイドフレーム２を低い  位置とすれば、揺動中心軸線Ｌ′−Ｌ′は水平線に沿う揺動中心軸線Ｌ−Ｌに対して頭部Ｈ上がりの傾斜となり、また、後部サイドフレーム２を高い位置に、前部サイドフレーム１を低い位置とすれば、揺動中心軸線Ｌ″−Ｌ″は水平線に沿う揺動中心軸線Ｌ−Ｌに対して足部Ｌｅ上がりの傾斜とる。
【００４１】
ところで使用者Ｍが疲れた場合や、長距離歩いた場合には、就寝時に、足部Ｌｅを上げて寝ることにより、静脈の流れをより早めて、老化した血液を心臓へ早く戻す役割を果たす効果があり、また、使用者Ｍが心臓病などの既存症のある場合には、就寝時に、足部Ｌｅを下げて寝ることにより、足部Ｌｅへ血液を送る負担を軽くすることができる。
【００４２】
実験結果によれば、頭部Ｈの中心Ｈｃに対して足部Ｌｅの中心Ｌｅｃを約１００ｍｍ上げ、あるいは１００ｍｍ下げると、効果が一層顕著に顕れることが判明した。
【００４３】
ベッド床Ｆ上の前部の左右中央には、枕ユニットＰが設けられる。この枕ユニットＰは、複数の固定金具４１をもって、ベッド床Ｆのベッド枠１１の前部の両側面に固定されている。
【００４４】
つぎに、この枕ユニットＰの構成を、図１，９〜１１を参照して説明すると、この枕ユニットＰは、使用者Ｍの頭部Ｈを支える水平部分Ｐｈと、安眠用機器類の取り付けられる鉛直部分Ｐｖとを有して側面視Ｌ字状に形成されていて、低反発ウレタン樹脂よりなる枕本体４３の外周面を布カバーよりなる表皮４４により包覆して構成される。枕ユニットＰの鉛直部分Ｐｖの背面には出入口４５が開口され、この出入口４５を通して枕本体４３内には、軟質、ゲル状の冷却マット４６が出入れ可能に装入される。この冷却マット４６（冷蔵庫、冷凍室などで冷却して使用するものであり−２０°〜−２５°では硬くならないもの）は、軟質の袋体中に冷却剤を封入して構成される。前記出入口４５は、枕本体４３の背面に開閉自在に蝶着４８した蓋体４７により閉じられる。図１１に示すように、枕ユニットＰの表皮４４の背面には、蓋体４７を覆う開閉カバー４９がチャック５０により開閉可能に設けられており、この開閉カバー４９を開いた後、蓋体４７を開放すれば、冷却マット４６の枕ユニットＰへの出入れができる。
【００４５】
なお、冬期などの低温時には、冷却マット４６は使用しない。
【００４６】
枕ユニットＰの鉛直部分Ｐｖの左右には、対をなす芳香発生手段ＳＭ、ＢＧＭ  などを発生する音楽発生手段ＭＵ、および「ささやき・やすらぎ」などの音声を発生する暗示トーク発生手段ＷＩが、それぞれ上下に縦列配置されている。前記芳香発生手段ＳＭは、セラピー香料などの芳香剤６０と、送風ファン６１とを備えており、芳香剤６０は、枕ユニットＰの上面に開口した投入口４２内に出入れ自在に収容され、送風ファン６１は、その背面に配置される。送風ファ６１の駆動によれば、芳香剤６０から発散する芳香は、枕ユニットＰの鉛直部分Ｐｖの前面に開口した発散口よりベッド床Ｆ上に向けて発散される。また、音楽発生手段、すなわちＢＧＭ発生手段ＭＵは、ベッド基台Ｂに設けられるＢＧＭプレーヤー３０（図１参照）に接続されるスピーカー６３を備え、このスピーカー６３より流れるＢＧＭは、枕ユニットＰの鉛直部Ｐｖの前面に開口した発生口よりベッド床Ｆ上に向けて流れる。さらに、前記暗示トーク発生手段、すなわち「ささやき・やすらぎ」発生手段ＷＩは、「ささやき・やすらぎ」用プレーヤー３１（図１参照）に接続される他のスピーカー６５を備え、このスピーカー６５より発する「ささやき・やすらぎ」音声は、枕ユニットＰの鉛直部Ｐｖの前面にに開口した他の発生口よりベッド床Ｆ上に向けて流れる。
【００４７】
しかして、前記音楽発生手段、すなわちＢＧＭ発生手段ＭＵは、本発明にかかる目覚まし音発生手段を構成している。
【００４８】
ベッド床Ｆの後部には、ベッド床Ｆ上の使用者の両足を温める足温手段ＨＥが設けられる。
【００４９】
つぎに、図１，１２，１３を参照してこの足温手段ＨＥの構造について説明するに、足温手段ＨＥは、この実施例では、足温コタツよりなり、その足温ボックス７１はベッド床Ｆに配置されて、複数の固定金具７０をもってベッド枠１１の両側面に着脱自在に固定される。足温ボックス７１は、ハードボード板により横方向に長い箱状に形成され、その前面、すなわち使用者Ｍ側に向けて足の出入口７２が開口されている。足温ボックス７１の内面にはロックウールよりなる断熱材７３が裏打ちされ、その断熱材７３の内側には断熱用アルミ箔７４を介して、被覆ニクロム線よりなる、コイル状のヒータ７５が配管されている。このヒータ７５は、アルミ板７７を介して不燃布７６により覆われており、ヒータ７５からの熱は、アルミ板７７を介して不燃布７６に万遍なく伝達され、足温ボックス７１内の保温室が均等に保温されるようにされている。足の出入口７２の上部には、不燃布からなる可撓性の覆い布７８が垂下されていて、足の出入口７２を覆うようにしてある。図１に示すように、ベッド基台Ｂの底部フレーム３の後端には、足温コタツＨのコンセント８０が設けれ、電源に接続される元スイッチ８１が設けられる。
【００５０】
図１，１３鎖線に示すように、ベッド床Ｆ上に臥する使用者Ｍは、自己の両足を足温コタツＨＥの保温室内に挿入して足温することができる。また、この足温コタツＨＥは、夏期など不必要なときは、ベッド床Ｆより外しておく。
【００５１】
なお、図１において、符号ＢＬは、使用者Ｍを覆う毛布である。
【００５２】
図２に示すように、ベッド基台Ｂの適所には、リモコンボックス２８が設けられ、このリモコンボックス２８には、この睡眠促進用揺動ベッドを作動制御するリモコン３２が着脱可能に収容され、この睡眠促進用揺動ベッドの使用者Ｍはこのリモコン３２を把持して睡眠促進用揺動ベッドを適宜操作する。
【００５３】
なお、このリモコン３２は、睡眠促進用揺動ベッドの使用者Ｍ以外の者による操作も可能であり、たとえば介護の必要な使用者Ｍの場合などがこれに当たる。
【００５４】
図１４に示すように、リモコン３２の操作面には、下記のキーなどが設けられる。
【００５５】
ＤＳＰ：表示器
各設定数値（分、回／分）などを表示する。
【００５６】
Ｓ１  ：第１プログラムキー
第１プログラムをスタートできる。
【００５７】
Ｓ２  ：第２プログラムキー
第２プログラムをスタートできる。
【００５８】
Ｓ３  ：連動キー
第１、第２プログラムにおいて、ＢＧＭプレーヤー３０、ささやきプレーヤ            ー３１および芳香ファン６１を、揺動フレームＳの揺動停止と同時に停止さ            せるときに押す。
【００５９】
Ｓ４  ：揺動スタートキー
ベッド床Ｆの揺動をスタートできる。
【００６０】
Ｓ５  ：揺動停止キー
ベッド床Ｆの揺動を停止することができる。また、第１、第２プログラムを            実行中に押すと全停止する。さらに、後述する目覚まし動作中に押すと全停            止する。
【００６１】
Ｓ６  ：ＢＧＭスタートキー
ＢＧＭプレーヤー３０をスタートすることができる。
【００６２】
Ｓ７  ：ＢＧＭ停止キー
ＢＧＭプレーヤー３０を停止することができる。
【００６３】
Ｓ８  ：ささやきスタートキー
ささやきプレーヤー３１をスタートすることができる。
【００６４】
Ｓ９  ：ささやき停止キー
ささやきプレーヤー３１を停止することができる。
【００６５】
ＶＲ１：ＢＧＭ音量調整器
ＢＧＭスピーカー６３の音量を調整するときに操作する。
【００６６】
ＶＲ２：ささやき音量調整器
ささやきプレーヤー６５の音量を調整するときに操作する。
【００６７】
Ｓ１０：芳香スタートキー
芳香ファン６１を稼働することができる。
【００６８】
Ｓ１１：芳香停止キー
芳香ファン６１を停止することができる。
【００６９】
Ｓ１２：足温コタツ「入」キー
足温コタツＨＥを入りにできる。
【００７０】
Ｓ１３：足温コタツ「切」キー
足温コタツＨＥを切りにできる。
【００７１】
Ｓ１４：増加キー
設定する数値を増加させることができる。
【００７２】
Ｓ１５：減少キー
設定する数値を減少させることができる。
【００７３】
Ｓ１６：揺動時間キー
ベッド床Ｆが揺動する揺動稼働時間ｔ１，ｔ５，ｔ９を設定するときに押す            。
【００７４】
Ｓ１７：ＢＧＭ時間キー
ＢＧＭプレーヤー３０が稼働するＢＧＭ稼働時間ｔ２，ｔ６，ｔ１０を設定            するときに押す。
【００７５】
Ｓ１８：ささやき時間キー
ささやきプレーヤー３１が稼働するささやき稼働時間ｔ３，ｔ７，ｔ１１              を設定するときに押す。
【００７６】
Ｓ１９：芳香時間キー
芳香ファン６１が稼働する芳香ファン稼働時間ｔ４，ｔ８，ｔ１２を設定す            るときに押す。
【００７７】
Ｓ２０：揺動回数キー
ベッド床Ｆの揺動回数ｋ１，ｋ２，ｋ３（回／分）を設定するときに押す            。
【００７８】
Ｓ２１：設定キー
各種設定を始めるときに押す。
【００７９】
Ｓ２２：決定キー
各種設定値を決定するときに押す。
【００８０】
Ｓ２３：クリアキー
設定時のキー入力をクリアーするときに押す。
【００８１】
Ｓ２４：目覚まし「入」キー
目覚まし時刻を設定することができる。
【００８２】
Ｓ２５：時キー                                                                            目覚まし時刻を表示器ＤＳＰに表示させることができる。
【００８３】
Ｓ２６：分キー
目覚まし時刻の分を変更するときに押す。
【００８４】
しかして、前記目覚まし「入」キーＳ２４、時キーＳ２５、分キーＳ２６、増加キー１４、減少キーＳ１５、表示器ＤＳＰが協働して、本発明にかかる目覚まし時刻設定手段を構成する。
【００８５】
つぎに、タイマーＴ１〜Ｔ１２、および揺動回数記憶手段Ｋ１〜Ｋ３について説明する。
【００８６】
Ｔ１  ：タイマー
揺動スタートキーＳ４が押されたときに揺動実稼働時間を検出する。
【００８７】
Ｔ２  ：タイマー
ＢＧＭスタートキーＳ６が押されたときにＢＧＭ実稼働時間を検出する。
【００８８】
Ｔ３  ：タイマー
ささやきスタートキーＳ８が押されたときにささやき実稼働時間を検出する            。
【００８９】
Ｔ４  ：タイマー
芳香スタートキーＳ１０が押されたときに芳香ファン実稼働時間を検出する            。
【００９０】
Ｔ５  ：タイマー
第１プログラムキーＳ１が押されたときに揺動実稼働時間を検出する。
【００９１】
Ｔ６  ：タイマー
第１プログラムキーＳ１が押されたときにＢＧＭ実稼働時間を検出する。
【００９２】
Ｔ７  ：タイマー
第１プログラムキーＳ１が押されたときにささやき実稼働時間を検出する。      
【００９３】
Ｔ８  ：タイマー
第１プログラムキーＳ１が押されたときに芳香ファン実稼働時間を検出する            。
【００９４】
Ｔ９  ：タイマー
第２プログラムキーＳ２が押されたときに揺動実稼働時間を検出する。
【００９５】
Ｔ１０：タイマー
第２プログラムキーＳ２が押されたときにＢＧＭ実稼働時間を検出する。
【００９６】
Ｔ１１：タイマー
第２プログラムキーＳ２が押されたときにささやき実稼働時間を検出する。      
【００９７】
Ｔ１２：タイマー
第２プログラムキーＳ２が押されたときに芳香ファン実稼働時間を検出する            。
【００９８】
Ｋ１  ：揺動回数記憶手段
揺動スタートキーＳ４が押されたときの揺動回数ｋ１を記憶する。
【００９９】
Ｋ２  ：揺動回数記憶手段
第１プログラムキーＳ１が押されたときの揺動回数ｋ２を記憶する。
【０１００】
Ｋ３  ：揺動回数記憶手段
第２プログラムキーＳ２が押されたときの揺動回数ｋ３を記憶する。
【０１０１】
Ｋ４  ：目覚まし時刻記憶手段
目覚まし時刻ｋ４を記憶する。
【０１０２】
つぎに、各種時間、揺動回数を設定する手順について説明する。
【０１０３】
まず、各タイマーＴ１〜Ｔ１２に設定された時間ｔ１〜ｔ１２が「０００」のときについて説明する。
【０１０４】
タイマーＴ１の揺動稼働時間ｔ１に「０００」を設定すると、揺動スタートキーＳ４が押されたときに、ベッド床Ｆの揺動は、連続稼働する。
【０１０５】
タイマーＴ２のＢＧＭ稼働時間ｔ２に「０００」を設定すると、ＢＧＭスタートキーＳ６が押されたときに、ＢＧＭプレーヤー３０は、連続稼働する。
【０１０６】
タイマーＴ３のささやき稼働時間ｔ３に「０００」を設定すると、ささやきスタートキーＳ８が押されたときに、ささやきプレーヤー３１は、連続稼働する。
【０１０７】
タイマーＴ４の芳香ファン稼働時間ｔ４に「０００」を設定すると、芳香スタートキーＳ１０が押されたときに、芳香ファン６１は、連続稼働する。
【０１０８】
タイマーＴ５の揺動稼働時間ｔ５に「０００」を設定すると、連動キーＳ３が押されずに第１プログラムキーＳ１が押されたときに、ベッド床Ｆは揺動しない。
【０１０９】
タイマーＴ６のＢＧＭ稼働時間ｔ６に「０００」を設定すると、連動キーＳ３が押されずに第１プログラムキーＳ１が押されたときに、ＢＧＭプレーヤー３０は稼働しない。
【０１１０】
タイマーＴ７のささやき稼働時間ｔ７に「０００」を設定すると、連動キーＳ３が押されずに第１プログラムキーＳ１が押されたときに、ささやきＢＧＭプレーヤー３１は稼働しない。
【０１１１】
タイマーＴ８の芳香ファン稼働時間ｔ８に「０００」を設定すると、連動キーＳ３が押されずに第１プログラムキーＳ１が押されたときに、芳香ファン６１は稼働しない。
【０１１２】
タイマーＴ９の揺動稼働時間ｔ９に「０００」を設定すると、連動キーＳ３が押されずに第２プログラムキーＳ２が押されたときに、ベッド床Ｆは揺動しない。
【０１１３】
タイマーＴ１０のＢＧＭ稼働時間ｔ１０に「０００」を設定すると、連動キーＳ３が押されずに第２プログラムキーＳ２が押されたときに、ＢＧＭプレーヤー３０は稼働しない  タイマーＴ１１のささやき稼働時間ｔ１１に「０００」を設定すると、連動キーＳ３が押されずに第２プログラムキーＳ２が押されたときに、ささやきプレーヤー３１は稼働しない。
【０１１４】
タイマーＴ１２の芳香ファン稼働時間ｔ１２に「０００」を設定すると、連動キーＳ３が押されずに第２プログラムキーＳ２が押されたときに、芳香ファン６１は稼働しない。
【０１１５】
なお、連動キーＳ３が押されてから、第１プログラムキーＳ１、または第２プログラムキーＳ３が押されたときは、後述する「操作の説明」に記載する。
【０１１６】
１．揺動スタートＳ４を押したときの揺動稼働時間ｔ１を設定する手順
(1) 設定キーＳ２１を押す。これにより、表示器ＤＳＰに「設定」が表示される。
【０１１７】
(2) つぎに、揺動時間キーＳ１６を押す。これにより、タイマーＴ１に現在設定させている揺動稼働時間ｔ１が、表示器ＤＳＰに表示される。たとえば、現在設定させている揺動稼働時間ｔ１が９０分の場合に、表示器ＤＳＰに「揺動稼働時間設定：０９０分」が表示される。
【０１１８】
(3) つぎに、増加キーＳ１４、または減少キーＳ１５を押して、表示器ＤＳＰに希望する揺動稼働時間を表示させる。たとえば、希望する揺動稼働時間が１２０分の場合は、増加キーＳ１４を押して、表示器ＤＳＰに「揺動稼働時間設定：１２０分」を表示させる。      
【０１１９】
(4) つぎに、決定キーＳ２２を押す。これにより、表示器ＤＳＰの表示が消える。
【０１２０】
以上により、(3) で表示した時間が、タイマーＴ１の揺動稼働時間ｔ１に設定される。たとえば、揺動稼働時間ｔ１は１２０分に更新される。
【０１２１】
２．ＢＧＭスタートキーＳ６を押したときのＢＧＭ稼働時間ｔ２を設定する手順
(1) 設定キーＳ２１を押す。これにより、表示器ＤＳＰに「設定」が表示される。
【０１２２】
(2) つぎに、ＢＧＭ時間キー１７を押す。これにより、タイマーＴ２に現在設定させているＢＧＭ稼働時間ｔ２が、表示器ＤＳＰに表示される。たとえば、現在設定させているＢＧＭ稼働時間ｔ２が８０分の場合は、表示器ＤＳＰに「ＢＧＭ稼働時間設定：０８０分」が表示される。
【０１２３】
(3) つぎに、増加キーＳ１４、または減少キーＳ１５を押して、表示器ＤＳＰに希望するＢＧＭ稼働時間を表示させる。たとえば、希望するＢＧＭ稼働時間が１１０分の場合は、増加キーＳ１４を押して、表示器ＤＳＰに「ＢＧＭ稼働時間設定：１１０分」を表示させる。
【０１２４】
(4) つぎに、決定キーＳ２２を押す。これにより、表示器ＤＳＰの表示が消える。
【０１２５】
以上により、(3) で表示した時間が、タイマーＴ２のＢＧＭ稼働時間ｔ２に設定される。たとえば、ＢＧＭ稼働時間ｔ２は１１０分に更新される。
【０１２６】
３．ささやきスタートキーＳ８を押したときのささやき稼働時間ｔ３を設定する手順
(1) 設定キーＳ２１を押す。これにより、表示器ＤＳＰに「設定」が表示される。
【０１２７】
(2) つぎに、ささやき時間キーＳ１８を押す。これにより、タイマーＴ３に現在設定させているささやき稼働時間ｔ３が、表示器ＤＳＰに表示される。たとえば、現在設定させているささやき稼働時間ｔ３が７０分の場合は、表示器ＤＳＰに「ささやき稼働時間設定：０７０分」が表示される。
【０１２８】
(3) つぎに、増加キーＳ１４、または減少キーＳ１５を押して、表示器ＤＳＰに希望するささやき稼働時間を表示させる。たとえば、希望するささやき稼働時間が１００分の場合は、増加キーＳ１４を押して、表示器ＤＳＰに「ささやき稼働時間設定：１００分」を表示させる。
【０１２９】
(4) つぎに、決定キーＳ２２を押す。これにより、表示器ＤＳＰの表示が消える。
【０１３０】
以上により、(3) で表示した時間が、タイマーＴ３のささやき稼働時間ｔ３に設定される。たとえば、ささやき稼働時間ｔ３は１００分に更新される。
【０１３１】
４．芳香スタートキーＳ１０を押したときの芳香ファン稼働時間ｔ４を設定する手順
(1) 設定キーＳ２１を押す。これにより、表示器ＤＳＰに「設定」が表示される。
【０１３２】
(2) つぎに、芳香時間キーＳ１９を押す。これにより、タイマーＴ４に現在設定させている芳香ファン稼働時間ｔ４が、表示器ＤＳＰに表示される。たとえば、現在設定させている芳香ファン稼働時間ｔ４が６０分の場合は、表示器ＤＳＰに「芳香ファン稼働時間設定：０６０分」が表示される。
【０１３３】
(3) つぎに、増加キーＳ１４、または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。
【０１３４】
(4) つぎに、決定キーＳ２２を押す。これにより、表示器ＤＳＰの表示が消える。
【０１３５】
以上により、(3) で表示した時間が、タイマーＴ４の芳香ファン稼働時間ｔ４に設定される。たとえば、芳香ファン稼働時間ｔ４は９０分に更新される。
【０１３６】
４．揺動スタートキーＳ４を押したときの揺動回数ｋ１を設定する手順
(1) 設定キーＳ２１を押す。これにより、表示器ＤＳＰに「設定」が表示される。
【０１３７】
(2) つぎに、揺動回数キーＳ２０を押す。これにより、揺動回数器記憶手段Ｋ１に現在設定させている揺動回数ｋ１が、表示器ＤＳＰに表示される。たとえば、現在設定させている揺動回数ｋ１が１０回／分の場合は、「揺動回数設定：０１０回／分」が表示される。
【０１３８】
(3) つぎに、増加キー１４、または減少キー１５を押して、表示器ＤＳＰに希望する揺動回数を表示させる。たとえば、希望する揺動回数が７回／分の場合、減少キーＳ１５を押して、表示器ＤＳＰに「揺動回数設定：７回／分」を表示させる。
【０１３９】
(4) つぎに、決定キーＳ２２を押す。これにより、表示器ＤＳＰの表示が消える。
【０１４０】
以上により、(3) で表示した回数が、揺動回数記憶手段Ｋ１に揺動回数ｋ１として設定される。たとえば、揺動回数ｋ１は７回／分に更新される。
【０１４１】
５．第１プログラムキーＳ１を押したときの、揺動稼働時間ｔ５、ＢＧＭ稼働時間ｔ６、ささやき稼働時間ｔ７、芳香ファン稼働時間ｔ８および揺動回数ｋ２を設定する手順
(1) 設定キーＳ２１を押す。これにより、表示器ＤＳＰに「設定」が表示される。
【０１４２】
(2) つぎに、プログラムキーＳ１を押す。これにより「第１プログラム設定」が表示器ＤＳＰに表示される。
【０１４３】
(3) つぎに、揺動時間キー１６を押す。これにより、タイマーＴ５に現在設定させている揺動稼働時間ｔ５が表示器ＤＳＰに表示される。たとえば、現在設定させている揺動稼働時間ｔ５が９０分に場合は、「揺動稼働時間設定：０９０分」が表示される。
【０１４４】
(4) つぎに、増加キーＳ１４または減少キーＳ１５を押して、表示器ＤＳＰに希望する揺動稼働時間を表示させる。たとえば、希望する揺動稼働時間が１２０分に場合は、増加キーＳ１４を押して、表示器ＤＳＰに「揺動稼働時間設定：１２０分」を表示させる。
【０１４５】
(5) つぎに、ＢＧＭ時間キーＳ１７を押す。これにより、タイマーＴ６に現在設定させているＢＧＭ稼働時間ｔ６が表示器ＤＳＰに表示される。たとえば、現在設定させているＢＧＭ稼働時間ｔ６が８０分に場合は、「ＢＧＭ稼働時間設定：０８０分」が表示される。
【０１４６】
(6) つぎに、増加キーＳ１４または減少キーＳ１５を押して、表示器ＤＳＰに希望するＢＧＭ稼働時間を表示させる。たとえば、希望するＢＧＭ稼働時間が１１０分に場合は、増加キーＳ１４を押して、表示器ＤＳＰに「ＢＧＭ稼働時間設定：１１０分」を表示させる。
【０１４７】
(7) つぎに、ささやき時間キーＳ１８を押す。これにより、タイマーＴ７に現在設定させているささやき稼働時間ｔ７が表示器ＤＳＰに表示される。たとえば、現在設定させているささやき稼働時間ｔ７が７０分に場合は、「ささやき稼働時間設定：０７０分」が表示される。  
【０１４８】
(8) つぎに、増加キーＳ１４または減少キーＳ１５を押して、表示器ＤＳＰに希望するささやき稼働時間を表示させる。たとえば、希望するささやき稼働時間が１００分に場合は、増加キーＳ１４を押して、表示器ＤＳＰに「ささやき稼働時間設定：１００分」を表示させる。
【０１４９】
(9) つぎに、芳香時間キーＳ１９を押す。これにより、タイマーＴ８に現在設定させている芳香ファン稼働時間ｔ８が表示器ＤＳＰに表示される。たとえば、現在設定させている芳香ファン稼働時間ｔ８が６０分に場合は、「芳香ファン稼働時間設定：０６０分」が表示される。  
【０１５０】
(10)つぎに、増加キーＳ１４または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。  
【０１５１】
(11)つぎに、揺動回数キーＳ２０を押す。これにより、揺動回数記憶手段Ｋ２に現在設定させている揺動回数ｋ２が、表示器ＤＳＰに表示される。たとえば、現在設定させている揺動回数ｋ２が１０回／分の場合は、「揺動回数設定：０１０回／分」が表示される。
【０１５２】
(12)つぎに、増加キーＳ１４または減少キーＳ１５を押して、表示器ＤＳＰに希望する揺動回数を表示させる。たとえば、希望する揺動回数が７回／分の場合は、減少キーＳ１５を押して、表示器ＤＳＰに「揺動回数設定：７回／分」を表示させる。
【０１５３】
(13)つぎに、決定キーＳ２２を押す。これにより、表示器ＤＳＰの表示が消える。
【０１５４】
以上により、(4) で表示した時間が、タイマーＴ５の揺動稼働時間ｔ５に設定され、(6) で表示した時間が、タイマー６のＢＧＭ稼働時間ｔ６に設定され、(8) で表示した時間が、タイマーＴ７のささやき稼働時間ｔ７に設定され、(10)で表示した時間が、タイマーＴ８の芳香ファン稼働時間ｔ８に設定され、(12)で表示した回数が、揺動回数記憶手段Ｋ２に揺動回数ｋ２として設定される。
【０１５５】
たとえば、揺動稼働時間ｔ５は１２０分、ＢＧＭ稼働時間ｔ６は１１０分、ささやき稼働時間ｔ７は１００分、芳香ファン稼働時間ｔ８は９０分、揺動回数ｋ２は７回／分にそれぞれ更新される。
【０１５６】
６．第２プログラムキーＳ２を押したときの、揺動稼働時間ｔ９、ＢＧＭ稼働時間ｔ１０、ささやき稼働時間ｔ１１、芳香ファン稼働時間ｔ１２および揺動回数ｋ３を設定する手順
この場合、前記５．における(2) で、第１プログラムキーＳ１を押すに代えて第１プログラムキーＳ２を押す以外は、前記５と同じである。
【０１５７】
なお、この場合において、(2) に「第１」とあるを「第２」に、また(3) に「Ｔ５」、「Ｔ９」とあるを、それぞれ「ｔ５」、「ｔ９」に、また、(5) に「Ｔ６」、「ｔ６」とあるを、それぞれ「Ｔ１０」、「ｔ１０」に、また、(7) に「Ｔ７」、「ｔ７」とあるを、「Ｔ１１」、「ｔ１１」に、(9) に「Ｔ８」、「ｔ８」とあるを、それぞれ「Ｔ１２」、「ｔ１２」に、また、(11)に「Ｋ２」、「ｋ２」とあるを、それぞれ「Ｋ３」、「ｋ３」に読み替えるものとする。
【０１５８】
以上により、(4) で表示した時間が、タイマーＴ９の揺動稼働時間ｔ９に設定され、(6) で表示した時間がタイマー１０のＢＧＭ稼働時間ｔ１０に設定され、(8) で表示した時間が、タイマーＴ１１のささやき稼働時間ｔ１１に設定され、(10)で表示した時間が、タイマーＴ１２の芳香ファン稼働時間ｔ１２に設定され、(12)で表示した回数が、揺動回数記憶手段Ｋ３に揺動回数ｋ３として設定される。
【０１５９】
７．目覚まし時刻記憶手段Ｋ４に目覚まし時刻ｋ４を記憶させる手順
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が、午前６時００分の場合は、表示器ＤＳＰに「目覚まし時刻０６：００」が表示される。
【０１６０】
(2) つぎに、設定キー２１を押す。
【０１６１】
(3) つぎに増加キーＳ１４、また減少キーＳ１５を押して、表示器ＤＳＰに希望する目覚まし時刻の「時」を表示させる。たとえば、希望する目覚まし時刻が午前５時３０分の場合、減少キーＳ１５を押して、表示器ＤＳＰに「目覚まし時刻０５：００」を表示させる。
【０１６２】
(4) つぎに、分キーＳ２６を押す。
【０１６３】
(5) つぎに、増加キーＳ１４、または減少キーＳ１５を押して、表示器ＤＳＰに希望する目覚まし時刻の「分」を表示させる。たとえば、希望する目覚まし時刻が午前５時３０分の場合、増加キー１４を押して、表示器ＤＳＰに「目覚時刻０５：３０」を表示させる。
【０１６４】
以上により、前記(5) で表示した目覚まし時刻が目覚まし時刻ｋ４として、記憶される。
【０１６５】
つぎに、リモコン３２による睡眠促進用揺動ベッドの稼働操作について説明する。
【０１６６】
〔複数スタートの場合〕
１．第１プログラムを実行するとき
第１プログラムキーＳ１を押すと、ベッド床Ｆが揺動回数ｋ２の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第１プログラム」が表示される。これにより、使用者Ｍが睡眠に入るのを促進するための睡眠促進動作が行われる。
【０１６７】
そして、第１プログラムキーＳ１を押したときから、芳香ファン稼働時間ｔ８が経過すると、芳香ファン６１が停止し、ささやき稼働時間ｔ７が経過すると  ささやきプレーヤー３１が停止し、ＢＧＭ稼働時間ｔ６が経過するとＢＧＭプレーヤー３０が停止し、揺動稼働時間ｔ５が経過するとベッド床Ｆの揺動が停止する。そして、すべてが停止すると、表示器ＤＳＰの「第１プログラム」表示が消える。
【０１６８】
２．第２プログラムを実行するとき
第２プログラムキーＳ２を押すと、ベッド床Ｆが揺動回数ｋ３の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第２プログラム」が表示される。これにより、使用者Ｍが睡眠に入るのを促進するための睡眠促進動作が行われる。
【０１６９】
そして、第２プログラムキーＳ２を押したときから、芳香ファン稼働時間ｔ１２が経過すると、芳香ファン６１が停止し、ささやき稼働時間ｔ１１が経過すると  ささやきプレーヤー３１が停止し、ＢＧＭ稼働時間ｔ１０が経過するとＢＧＭプレーヤー３０が停止し、揺動稼働時間ｔ９が経過するとベッド床Ｆの揺動が停止する。
【０１７０】
そして、すべてが停止すると、表示器ＤＳＰの「第２プログラム」の表示が消える。
【０１７１】
３．連動第１プログラムを実行するとき
連動キーＳ３を押してから第１プログラムキーＳ１を押すと、ベッド床Ｆが揺動回数ｋ２の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第１プログラム」が表示される。これにより、使用者Ｍが睡眠に入るのを促進するための睡眠促進動作が行われる。
【０１７２】
そして、第１プログラムキーＳ１を押したときから、揺動稼働時間ｔ５が経過すると、ベッド床Ｆの揺動、ＢＧＭプレーヤー３０、ささやきプレーヤー３１および芳香ファン６１が停止し、表示器ＤＳＰの「連動第１プログラム」表示が消える。
【０１７３】
たとえば、揺動稼働時間ｔ５に１２０分が設定され、ＢＧＭ稼働時間ｔ６に１１０分が設定されている場合、ＢＧＭプレーヤー３０は、揺動稼働時間ｔ５に設定されている１２０分を経過すると停止する。また揺動稼働時間ｔ５に１２０分が設定され、ＢＧＭ稼働時間ｔ６に「０００」が設定されている場合、連動キーＳ３を押してから第１プログラムキーＳ１を押すと、ＢＧＭプレーヤー３０は稼働を始めて、ＢＧＭが流れる。そして、ＢＧＭプレーヤー３０は、揺動稼働時間ｔ５に設定されている１２０分が経過すると停止する。
【０１７４】
４．連動第２プログラムを実行するとき
連動キーＳ３を押してかられ第２プログラムキーＳ２を押すと、ベッド床Ｆが揺動回数ｋ３の揺動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第２プログラム」が表示される。これにより、使用者Ｍが睡眠に入るのを促進するための睡眠促進動作が行われる。
そして、第２プログラムキーＳ１を押したときから、揺動稼働時間ｔ１０が経過すると、ベッド床Ｆの揺動、ＢＧＭプレーヤー３０、ささやきプレーヤー３１および芳香ファン６１が停止し、表示器ＤＳＰの「連動第２プログラム」表示が消える。
【０１７５】
たとえば、揺動稼働時間ｔ９に９０分が設定され、ＢＧＭ稼働時間ｔ１０に８０分が設定されている場合、ＢＧＭプレーヤー３０は、揺動稼働時間ｔ９に設定されている９０分を経過すると停止する。また揺動稼働時間ｔ９に９０分が設定され、ＢＧＭ稼働時間ｔ１０に「０００」が設定されている場合、連動キーＳ３を押してから第２プログラムキーＳ２を押すと、ＢＧＭプレーヤー３０は稼働を始めて、ＢＧＭが流れる。そして、ＢＧＭプレーヤー３０は、揺動稼働時間ｔ９に設定されている９０分が経過すると停止する。
【０１７６】
〔単数スタートの場合〕
１．ベッド床Ｆを揺動させるとき
(1) 揺動スタートキーＳ４を押すと、ベッド床Ｆが揺動回数ｋ１の揺動を始め、また表示器ＤＳＰに「揺動」が表示される。これにより、使用者Ｍが睡眠に入るのを促進するための睡眠促進動作が行われる。
【０１７７】
(2) そして、揺動スタートキーＳ４を押したときから、揺動稼働時間ｔ１が経過すると、ベッド床Ｆの揺動が停止し、また表示器ＤＳＰの「揺動」表示が消える。
【０１７８】
なお、揺動稼働時間ｔ１の設定が「０００」のときは、前記(1) の表示器ＤＳＰに「連続揺動」が表示される。つぎに、揺動停止キーＳ５を押すと、ベッド床Ｆの揺動が停止し、また表示器ＤＳＰの「連続揺動」表示が消える。
【０１７９】
２．ＢＧＭを流すとき
(1) ＢＧＭスタートキーＳ６を押すと、ＢＧＭプレーヤー３０が稼働を始めてＢＧＭが流れ、また表示器ＤＳＰに「ＢＧＭ」が表示される。これにより、使用者Ｍが睡眠に入るのを促進するための睡眠促進動作が行われる。
【０１８０】
(2) そして、ＢＧＭスタートキーＳ６を押したときから、ＢＧＭ稼働時間ｔ２が経過すると、ＢＧＭプレーヤー３０が停止し、また表示器ＤＳＰの「ＢＧＭ」表示が消える。
【０１８１】
なお、ＢＧＭ稼働時間ｔ２の設定が「０００」のときは、前記(1) の表示器ＤＳＰに「連続ＢＧＭ」が表示される。つぎに、ＢＧＭ停止キーＳ７を押すと、ＢＧＭプレーヤー３０が停止し、また表示器ＤＳＰの「連続ＢＧＭ」表示が消える。
【０１８２】
３．「ささやき」を流すとき
(1) ささやきスタートキーＳ８を押すと、ささやきプレーヤー３１が稼働を始めて「ささやき」が流れ、また表示器ＤＳＰに「ささやき」が表示される。これにより、使用者Ｍが睡眠に入るのを促進するための睡眠促進動作が行われる。
【０１８３】
(2) そして、ささやきスタートキーＳ８を押したときから、ささやき稼働時間ｔ３が経過すると、ささやきプレーヤ３１が停止し、また表示器ＤＳＰの「ささやき」表示が消える。
【０１８４】
なお、ささやき稼働時間ｔ３の設定が「０００」のときは、前記(1) の表示器ＤＳＰに「連続ささやき」が表示される。つぎに、ささやき停止キーＳ９を押すと、ささやきプレーヤー３０が停止し、また表示器ＤＳＰの「連続ささやき」表示が消える。
【０１８５】
４．芳香を薫らせるとき
(1) 芳香スタートキーＳ１０を押すと、芳香ファン６１が稼働を始めて芳香剤の揮発性成分の拡散が始まり、また表示器ＤＳＰに「芳香」が表示される。これにより、使用者Ｍが睡眠に入るのを促進するための睡眠促進動作が行われる。
【０１８６】
(2) そして、芳香スタートキーＳ１０を押したときから、芳香ファン稼働時間ｔ４が経過すると、芳香ファン６１が停止し、また表示器ＤＳＰの「芳香」表示が消える。
【０１８７】
なお、芳香ファン稼働時間ｔ４の設定が「０００」のときは、前記(1) の表示器ＤＳＰに「連続芳香」が表示される。つぎに、芳香停止キーＳ１１を押すと、芳香ファン６１が停止し、また表示器ＤＳＰの「連続芳香」表示が消える。
【０１８８】
５．足温コタツを入りにするとき
足温コタツ「入」キーＳ１２を押すと、足温コタツＨＥへの通電が始まり、また表示器ＤＳＰに「足温コタツ」が表示される。これにより、使用者Ｍが睡眠に入るのを促進するための睡眠促進動作が行われる。
【０１８９】
足温コタツ「切」キーＳ１３を押すと、足温コタツＨＥへの通電が停止し、また表示器ＤＳＰの「足温コタツ」表示が消える。
【０１９０】
なお、足温コタツ「入」キーＳ１２および足温コタツ「切」キーＳ１３は他のキーＳ１〜Ｓ１１の操作に関係なく、足温コタツＨＥへの通電と通電停止を行うことができる。
【０１９１】
〔単数スタートで、複数のものが稼働している状態にする場合〕
揺動スタートキーＳ４、ＢＧＭスタートキーＳ６、ささやきスタートキーＳ８、芳香スタートキーＳ１０は、それらの複数を押して  それらの複数が稼働している状態にすることができる。たとえば、揺動スタートキーＳ４とＢＧＭスタートキーＳ６とを押すと、ベッド床Ｆが揺動し、ＢＧＭプレーヤー３０が稼働してＢＧＭが流れる状態にすることができる。これにより、使用者Ｍが睡眠に入るのを促進するための睡眠促進動作が行われる。
【０１９２】
〔目覚まし動作を行う場合〕
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が午前６時００の場合は、表示器ＤＳＰに「目覚時刻０６：００」が表示される。      
【０１９３】
(2) つぎに、希望する目覚まし時刻が前記(1) で表示器ＤＳＰに表示された時刻と同じときは、目覚まし「入」キーＳ２４を押す。これにより、前記(1) で表示器ＤＳＰに表示された時刻が、目覚まし時刻として設定される。たとえば、前記(1) で表示器ＤＳＰに表示された「目覚ま時刻０６：００」が目覚まし時刻として設定される。
【０１９４】
(3) 前記(2) において、希望する目覚まし時刻が前記(1) で表示器ＤＳＰに表示された時刻と相違するときは、前述の「７．目覚まし時刻記憶手段Ｋ４に目覚まし時刻ｋ４を記憶させる手順」で希望する目覚まし時刻を表示器ＤＳＰに表示させてから、目覚まし「入」キーＳ２４を押す。これにより、目覚まし「入」キーＳ２４を押す直前に表示器ＤＳＰに表示された時刻が目覚まし時刻として設定される。
【０１９５】
(4) 前記(2) または(3) で目覚まし「入」キーが押されて目覚まし時刻が設定されると、その設定された目覚まし時刻が表示器ＤＳＰに表示され続ける。
【０１９６】
(5) そして、時計手段ＣＬが出力する現在時刻が、設定された目覚まし時刻になると、ブレーキモータ１５が駆動を始めてベット床Ｆが揺動を始めると共にＢＧＭプレーヤー３０が稼働を始めてＢＧＭが流れる目覚まし動作が行われる。この目覚まし動作のときの、ベッド床Ｆの揺動速度は、通常、睡眠促進動作のときよりも速い速度に設定されている。たとえば、睡眠促進動作時のベット床Ｆの揺動速度は１０回／分であるのに対し目覚まし動作時のベッド床Ｆの揺動速度は２０回／分のように設定される。
【０１９７】
(6) 前記目覚まし動作により、睡眠から目覚めた使用者Ｍ、または、使用者Ｍの目覚めを確認した第３者、たとえば介護者は揺動停止キーＳ５を押して目覚まし動作を停止させる。これにより、表示器ＤＳＰに表示された目覚まし時刻が消える。
【０１９８】
つぎに、本発明にかかる睡眠促進用揺動ベッドを使用する手順について説明する。
【０１９９】
使用者Ｍは、ベッド床Ｆ上に仰臥する前に下記の操作を順に行う。
【０２００】
(1) 前記枕ユニットＰ内に予め冷やしてある冷却マット４６を挿入して、頭部Ｈを冷やせる状態に整える。
【０２０１】
(2) 枕ユニットＰの上部の投入口４２に、セラピー香料などの揮発性のある芳香剤６０を差し入れる。
【０２０２】
(3) つぎに、就寝する前に、リモコン３２を操作して、空床の状態で、ベッド床Ｆの揺動回数、揺動速度、揺動角度を自分の目安となる値に調整する。
【０２０３】
(4) つぎに使用者Ｍは、ベッド床Ｆ上への乗降を繰り返してベッド床Ｆの揺動回数、揺動速度、揺動角度を最適な値に調整する。
【０２０４】
このような調整は最初は手間取るが、一度最適値を設定すれば、その後は大幅な調整はしないで済む。
【０２０５】
(5) 以上の調整が済んだら、使用者Ｍは、図１に示すように、ベッド床Ｆ上に仰臥して、毛布ＢＬを掛け、リモコンスイッチ３２にて、揺動稼働時間（たとえば９０分あるいは１２０分）を設定したのち、たとえば第１プログラムキーＳ１押すと、ベッド床Ｆは、前記設定値に基づきベッド床Ｆはゆるやかな揺動運動を繰り返す。
【０２０６】
なお、目覚まし動作を行わせる場合は、前述の「目覚まし動作を行う場合」に記載の操作を行って目覚まし時刻を設定してから、たとえば、第１プログラムキーＳ１を押す。
【０２０７】
ところで、この実施例によれば、ベッド床Ｆの、支持軸５，５の中心を通る揺動中心軸線Ｌ−Ｌは、使用者Ｍの頭部Ｈを縦通するので、使用者Ｍの頭部Ｈの上下方向の揺動は殆どない状態で、ベッド床Ｆは左右に揺れ、身体も揺らいだ状態となり、使用者Ｍに、短時間のうちに心地よい睡眠を促すことができる。
【０２０８】
図６には、ベッド床Ｆの揺動態様の具体例が示される。この具体例によれば、ベッド床Ｆの揺動中心軸線Ｌ−Ｌは、使用者Ｍの頭部Ｈの中心Ｈｃを通過しており、揺動中心軸線Ｌ−Ｌから連結棒２３と揺動アーム２５とのピン連結点２４までの距離を４２０ｍｍとし、その連結点２４の左右の全揺動幅を２０ｍｍとしたときに、使用者Ｍの平均的な肩幅を４６０ｍｍとした場合に、その両肩の上下揺れ幅は約１０ｍｍであるが、このときの頭部Ｈの上下揺れ幅はわずか３〜４ｍｍである。
【０２０９】
ところで、就寝の準備を整えた使用者Ｍは、ベッド床Ｆ上に仰臥し、頭部Ｈを枕ユニットＰの冷却マット４６で冷しながら、ＢＧＭ発生手段ＭＵのスピーカー６３から流れる自分の好みにあった軽いメロディーを聞きながら、芳香発生手段ＳＭから発生している芳香を嗅ぎ、その耳元に、暗示トーク発生手段、すなわち「やすらぎ・ささやき」発生手段により、使用者Ｍの嬉しかった事や甘い思い出や、本人の得意なスポーツや趣味などを、事前のアンケート調査により、選択した事例のエッセンスを優しくまとめ、男性の場合は女性、女性の場合は男性と、お互いに異性の方の熟練者のトークを効果的にささやくように編集されたテープにて、スピーカー６５から流し、特に本人をうぬぼれさせるような、たとえば、“貴方は美男子だから、若い女性にもてることでしょう”など気持ちが高揚し楽しくなるトークがささやかれれば、一時のストレスの解消に大いに役立ち、睡眠を促すことができる。
【０２１０】
以上のように、自分に最も適した揺動幅、揺動回数を選択し、好みの芳香を嗅ぎ、聞き慣れたＢＧＭと、時々嬉しい“よいしょ”するようなささやきを聞いて、短時間のうちに入眠状態に入ることで可能になる。
【０２１１】
また、冬期や寒冷時には、足温手段ＨＥにより足部を温めるようにする。
【０２１２】
目覚まし時刻が設定されたときは、時計手段ＣＬの出力する現在時刻が、目覚まし時刻と一致すると、目覚まし動作が行われる。
【０２１３】
なお、目覚まし動作時のベッド床Ｆの揺動速度は、１つの値に固定されていてもよいし、リモコン３２で使用者Ｍが希望するベッド床Ｆの揺動速度に設定することができるようにしてもよいし、睡眠促進動作時のベット床Ｆの揺動速度で揺動を始めてから徐々に増速するようにしてもよい。
【０２１４】
図１５に示すように、ベッド基台Ｂに設けられる前記制御盤１０には、ＡＣ１００Ｖ電源に接続される元スイッチ８１、足温手段（足温コタツ）用コンセント８０が結線され、その入力側には、リモコン３２が結線され、その出力側には、ＢＧＭスピーカー６３，暗示トーク用スピーカー２５、芳香ファン６１、ＢＧＭプレーヤー３０、暗示トークプレーヤー３１、ブレーキモータ（揺動モータ）１５、水平検出センサー（近接スイッチ）２６，足温ヒータ７５がそれぞれ結線される。
【０２１５】
以上、本発明の実施例について説明したが、本発明はその実施例に限定されることなく、本発明の範囲内で種々の実施例が可能である。
【０２１６】
たとえば、前記実施例では、傾斜リフトＬによりベッド基台Ｂの前後部を個別に昇降制御するようにしているが、揺動フレームＳ、あるいはベッド床Ｆ１１の前後部を個別に昇降制御するようにしてもよい。
【図面の簡単な説明】
【０２１７】
【図１】睡眠促進用揺動ベッドの全体側面図
【図２】図１の２−２線に沿う拡大断面図
【図３】図２の３矢視仮想線囲い部分の拡大図
【図４】図３の４−４線に沿う断面図
【図５】ベッド基台、揺動フレームおよび揺動駆動手段の斜視図
【図６】揺動フレームおよびベッド床の揺動作用図
【図７】図１の７−７線に沿う拡大断面図
【図８】揺動ベッドの傾斜リフト説明図
【図９】図１の９矢視図
【図１０】図９の１０−１０線に沿う断面図
【図１１】図１０の１１矢視図
【図１２】図１の１２矢視図
【図１３】図１２の１３−１３線に沿う断面図
【図１４】リモコンスイッチの正面図
【図１５】睡眠促進用揺動ベッドの駆動制御の結線説明図
【符号の説明】
【０２１８】
１５・・・・・水平位置固定手段（ブレーキモータ）
２６・・・・・水平位置検出手段（近接スイッチ）
３２・・・・・リモコンスイッチ
Ａ・・・・・・揺動幅調整装置
Ｂ・・・・・・ベッド基台
Ｄ・・・・・・揺動駆動装置
Ｆ・・・・・・ベッド床
Ｈ・・・・・・頭部
Ｌｅ・・・・・足部
Ｍ・・・・・・使用者
Ｓ・・・・・・揺動フレーム
ＳＭ・・・・・芳香発生手段
ＭＵ・・・・・ＢＧＭ発生手段
ＷＩ・・・・・暗示トーク発生手段
Ｌ−Ｌ・・・・揺動中心軸線
ｌ−ｌ・・・・ロアーレベル
ｕ−ｕ・・・・アッパーレベル
Ｓ１４，Ｓ１５，Ｓ２３，Ｓ２５，Ｓ２６，ＤＳＰ・・・・目覚まし時刻設定手段
ＢＧＭ・・・・目覚まし音発生手段
【図１】
2006094917.tif 000003
【図２】
2006094917.tif 000004
【図３】
2006094917.tif 000005
【図４】
2006094917.tif 000006
【図５】
2006094917.tif 000007
【図６】
2006094917.tif 000008
【図７】
2006094917.tif 000009
【図８】
2006094917.tif 000010
【図９】
2006094917.tif 000011
【図１０】
2006094917.tif 000012
【図１１】
2006094917.tif 000013
【図１２】
2006094917.tif 000014
【図１３】
2006094917.tif 000015
【図１４】
2006094917.tif 000016
【図１５】
2006094917.tif 000017
【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
ベッド基台と、このベッド基台に揺動可能に支持される揺動フレームと、この揺動フレームに支持されるベッド床と、揺動フレームをベッド床と共に揺動駆動する揺動駆動手段とを備え、ベッド床を揺動させて、使用者が睡眠に入るのを促進するための睡眠促進動作を行うようにした睡眠促進用揺動ベッドであって、
前記揺動フレームの揺動中心軸線は、前記ベッド床上に仰臥する使用者の身長方向に沿って延びており、使用者の頭部を縦通することを特徴とする、睡眠促進用揺動ベッド。
【請求項２】
前記揺動中心軸線は、前記ベッド床上に仰臥する使用者の両足部の踵を通るロアーレベルと、その爪先を通るアッパーレベルの間の中間を通ることを特徴とする、前記請求項１記載の睡眠促進用揺動ベッド。
【請求項３】
前記揺動中心軸線は、前記ベッド床上に仰臥する使用者の頭部側から足部側に向けて上向き、もしくは下向きに傾斜するように、昇降制御されること特徴とする、前記請求項１，または２記載の睡眠促進用揺動ベッド。
【請求項４】
前記ベッド床の揺動幅を調整する揺動幅調整装置と、該ベッド床の揺動速度、揺動稼働時間を任意に調整コントロールできるようにしたリモコンスイッチとを備えていることを特徴とする、前記請求項１，２または３記載の睡眠促進用揺動ベッド。
【請求項５】
前記ベッド床には、その水平位置検出手段および該水平位置検出手段の検出信号をうけて、前記ベッド床を水平位置に固定する水平位置固定手段とが設けられ、ベッド床の揺動稼働停止後、ベッド床の上面は水平状態に固定されることを特徴とする、前記請求項１，２，３または４記載の睡眠促進用揺動ベッド。
【請求項６】
前記ベッド床上に仰臥する使用者の頭部近くに、芳香発生手段、音楽発生手段および暗示トーク発生手段を備えていることを特徴とする、前記請求項１，２，３，４または５記載の睡眠促進用揺動ベッド。
【請求項７】
目覚まし時刻を設定する目覚まし時刻設定手段を備え、前記目覚まし時刻設定手段で設定された目覚まし時刻に応じて、前記ベッド床を揺動させて使用者を睡眠から目覚めさせるための目覚まし動作を行い、
前記目覚まし動作時の前記ベッド床の揺動速度は、前記睡眠促進動作時よりも増速されることを特徴とする、前記請求項１，２，３，４，５または６記載の睡眠促進用揺動ベッド。
【請求項８】
使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴とする、前記請求項７記載の睡眠促進用揺動ベッド。
【請求項９】
ベット床の後部には、ベット床上の使用者の両足を温める足温手段が設けられていることを特徴とする、請求項１，２，３，４，５，６，７，または８記載の睡眠促進用揺動ベッド。
【手続補正２】
【補正対象書類名】明細書
【補正対象項目名】００１８
【補正方法】変更
【補正の内容】
【００１８】
上記目的を達成するために、請求項８記載の本発明は、前記請求項７記載のものにおいて、使用者を睡眠から目覚めさせるための目覚まし音を発生させる目覚まし音発生手段を備え、前記設定された目覚まし時刻に応じて、前記目覚まし音発生手段を稼働して目覚まし音を発生させることを特徴としている。
上記目的を達成のために、請求項９記載の発明は、請求項１，２，３，４，５，６，７，または８記載のものにおいて、ベット床の後部には、ベット床上の使用者の両足を温める足温手段が設けられていることを特徴としている。
【手続補正３】
【補正対象書類名】明細書
【補正対象項目名】００２５
【補正方法】変更
【補正の内容】
【００２５】
さらに、請求項７，８記載の発明によれば、ベット床を揺動させることで目覚まし動作を行うので、使用者を刺激せずに睡眠から確実に目覚めさせることができる。特に、目覚まし動作時のベッド床の揺動速度を睡眠促進時よりも増速することにより、目覚ましとするので、ベッド床の揺動を睡眠促進のほか、目覚ましにも利用することができ、目覚ましのために他の動作をしないで済む。
【手続補正４】
【補正対象書類名】明細書
【補正対象項目名】００２６
【補正方法】変更
【補正の内容】
【００２６】
さらに、請求項８記載の発明によれば、ベッド床の揺動と目覚まし音とで目覚ましを行うので、使用者を睡眠から、より一層確実に目覚めさせることができる。
さらにまた、請求項９記載の発明によれば、冬期や寒冷時には、足温手段により足部を温めることができる。